(57)【要約】【課題】  輝度ムラが生じることが抑制されたフラットパネルディスプレイの表示方法を提供すること。【解決手段】  複数の第１の発光部３０〜３６と、複数の第１の発光部の周りを囲むように設けられている第２の発光部３７とを含んで構成されるフラットパネルディスプレイ１０が用いられる。所望のパターンを表示させる際に、複数の第１の発光部のうちの所望のパターンに対応する第１の発光部３０〜３４を点灯させると共に、複数の第１の発光部のうちの所望のパターンに対応しない第１の発光部３５、３６及び第２の発光部を消灯する第１の態様と、第１の態様において点灯させた第１の発光部を消灯させると共に、第１の態様において消灯させた第１の発光部及び第２の発光部を点灯させる第２の態様とが繰り返される。【選択図】  図１
2005107023.tif 000002
【特許請求の範囲】
【請求項１】
複数の第１の発光部と、前記複数の第１の発光部の周りを囲むように設けられている第２の発光部とを含んで構成されるフラットパネルディスプレイを用い、
所望のパターンを表示させるに際して、前記複数の第１の発光部のうちの前記所望のパターンに対応する第１の発光部を点灯させると共に、前記複数の第１の発光部のうちの前記所望のパターンに対応しない第１の発光部及び前記第２の発光部を消灯する第１の態様と、前記第１の態様において点灯させた第１の発光部を消灯させると共に、前記第１の態様において消灯させた第１の発光部及び前記第２の発光部を点灯させる第２の態様とを繰り返すことを特徴とするフラットパネルディスプレイの表示方法。
【請求項２】
前記第１の態様の周期と、前記第２の態様の周期とが等しいことを特徴とする請求項１に記載のフラットパネルディスプレイの表示方法。
【発明の詳細な説明】
【技術分野】
【０００１】
本発明は、フラットパネルディスプレイの表示方法に関するものである。
【背景技術】
【０００２】
フラットパネルディスプレイとして、例えば、７つのセグメントを用いて数字を表示する方式のディスプレイが知られている（例えば、特許文献１参照）。特許文献１に記載のディスプレイにおいては、セグメントはＥＬ素子から構成されており発光機能を有している。このような複数のセグメントを有するディスプレイでは、通常、表示すべき数字に応じて、複数のセグメントのうちのいくつかを点灯させることによってデータが表示される。
【特許文献１】特開平６−１３２０７９号公報
【発明の開示】
【発明が解決しようとする課題】
【０００３】
ところで、表示内容を、複数のセグメントのうちのいくつかを点灯させることによって表示する場合、その内容によっては一部のセグメントは点灯しつづける一方、他のセグメントは点灯しない場合があった。セグメントは点灯が続くとその寿命特性のため、輝度が低下する。したがって、一部のセグメントが点灯し他のセグメントが消灯している状態が長く続くと、セグメント間において、セグメントの輝度に差が生じていた。そのため、表示内容を変えた際にセグメント同士の輝度の差がムラとなって現われ、表示される内容が見難くなっていた。
【０００４】
本発明は、上記事情に鑑みてなされたものであり、輝度ムラが生じることが抑制されたフラットパネルディスプレイの表示方法を提供することを目的とする。
【課題を解決するための手段】
【０００５】
上記課題を解決するために、本発明に係るフラットパネルディスプレイの表示方法は、複数の第１の発光部と、複数の第１の発光部の周りを囲むように設けられている第２の発光部とを含んで構成されるフラットパネルディスプレイを用い、所望のパターンを表示させるに際して、複数の第１の発光部のうちの所望のパターンに対応する第１の発光部を点灯させると共に、複数の第１の発光部のうちの所望のパターンに対応しない第１の発光部及び第２の発光部を消灯する第１の態様と、第１の態様において点灯させた第１の発光部を消灯させると共に、第１の態様において消灯させた第１の発光部及び第２の発光部を点灯させる第２の態様とを繰り返すことを特徴とする。
【０００６】
この方法によれば、第１の態様では、複数の第１の発光部のうち所望のパターンに対応する第１の発光部が点灯し、所望のパターンに対応していない第１の発光部及び第２の発光部は消灯している。そのため、所望のパターンが明るく表示される。
【０００７】
一方、第２の態様においては、第１の態様で点灯していた第１の発光部は消灯し、第１の態様で消灯していた第１の発光部及び第２の発光部が点灯する。この場合、所望のパターンに対応する第１の発光部は消灯され、その周りが点灯している。そのため、所望のパターンは暗く表示される。
【０００８】
そして、第１の態様と第２の態様とが繰り返されることにより、所望のパターンがフラットパネルディスプレイにその繰り返されている間表示される。
【０００９】
第１の態様と第２の態様とが繰り返されるため、所望のパターンに対応する第１の発光部を連続して点灯させつづけて表示する場合に比べて、各第１の発光部が点灯している時間と消灯している時間との差が小さくなる。このように各第１の発光部における点灯時間と消灯時間との差が小さくなれば、複数の第１の発光部における輝度の低下の度合いの差が減少する。
【００１０】
更に、本発明に係るフラットパネルディスプレイの表示方法においては、第１の態様の周期と、第２の態様の周期とが等しいことが好ましい。
【００１１】
この場合、各第１の発光部において、点灯している時間と消灯している時間とが等しい。そのため、複数の第１の発光部の間において、輝度の差が生じることがより一層抑制される。
【発明の効果】
【００１２】
本発明によれば、フラットパネルディスプレイにおける輝度ムラを抑制することができる。
【発明を実施するための最良の形態】
【００１３】
以下、図面を参照しながら本発明の好適な実施形態について詳細に説明する。なお、以下の説明では、同一または相当部分には同一符号を付し、重複する説明は省略する。
【００１４】
（第１の実施形態）
図１は、第１の実施形態における表示システム１の構成を示す模式図の一例である。
【００１５】
表示システム１は、フラットパネルディスプレイ１０と駆動部２０とを含んで構成される。フラットパネルディスプレイ１０は、７つの第１の発光部３０〜３６と、各第１の発光部３０〜３６の周りを囲む第２の発光部３７とを有する。各第１の発光部３０〜３６及び第２の発光部３７は有機ＥＬ素子である。すなわち、フラットパネルディスプレイ１０は、有機ＥＬ素子を用いた有機ＥＬディスプレイである。
【００１６】
図２は、図１のII-II線に沿った断面構成を示す模式図である。
【００１７】
フラットパネルディスプレイ１０は、基板１１と、基板１１上に設けられた陽極１２，１３と、陽極１２，１３上に設けられた発光層１４と、発光層１４上に設けられた陰極１５とを有している。陽極１２，１３、発光層１４及び陰極１５の層構造体は、ガラスなどから構成される封止板１６と基板１１とで封止されている。
【００１８】
基板１１の材料としては例えばガラス、石英、樹脂等であって透光性を有する材料が好ましい。
【００１９】
陽極１２，１３は発光層１４へのホール注入電極として機能する。陽極１２，１３の材料は、発光層１４にホールを効率良く注入できるものが好ましい。陽極１２，１３の材料としては例えば酸化インジウム（Ｉｎ２Ｏ３）、酸化スズ（ＳｎＯ２）、酸化亜鉛（ＺｎＯ）、錫ドープ酸化インジウム（ＩＴＯ）、亜鉛ドープ酸化インジウム（ＩＺＯ）などである。特に、ＩＴＯは面内の比抵抗が均一な薄膜が容易に得られる点で好ましい。
【００２０】
陽極１２の形状は、図１に示す第１の発光部３３，３５の形状に対応している。また、陽極１３の形状は、図１に示す第２の発光部３７の形状に対応している。陽極１２と陽極１３との間には、例えば、ポリイミド樹脂等の絶縁体１７が埋められており互いに電気的に絶縁されている。すなわち、各陽極１２は、絶縁体１７でその周囲が覆われており陽極１３と電気的に絶縁されている。
【００２１】
発光層１４は、通常有機ＥＬ素子に用いられる発光用ドーパントとポリマーとを含有する有機層である。発光層１４は、陽極１２，１３及び陰極１５からホール及び電子が注入されると発光する。なお、本実施形態におけるフラットパネルディスプレイ１０では、発光層１４で発せられた光は、基板１１側から取り出される。有機層の材料としては、例えば、フルオレンや、フルオレンから誘導された基を持つビニルポリマーやフルオレンから誘導された基を持つπ共役ポリマーを含有するものが挙げられる。
【００２２】
陰極１５は、発光層１４に電子を注入する電子注入電極として機能する。陰極１５は、通常有機ＥＬ素子で用いられている陰極であれば良い。陰極１５は、例えば、発光層１４側から順に無機電子注入層と補助電極とが積層された積層体である。無機電子注入層の材料としては、例えば、ＬｉＦやＣｓＩなどである。また、補助電極の材料としては、例えば、Ａｌである。
【００２３】
フラットパネルディスプレイ１０において、第１の発光部３３，３５は、基板１１上に積層された陽極１２、発光層１４及び陰極１５を含んで構成されている。また、第２の発光部３７は、基板１１上に積層された陽極１３、発光層１４及び陰極１５を含んで構成されている。
【００２４】
以上、第１の発光部３０〜３６のうち、図２に示された第1の発光部３３，３５についてその構成を説明した。第１の発光部３０，３１，３２，３４，３６は、第１の発光部３３，３５と同様の構成を有しており、第１の発光部３０，３１，３２，３４，３６は、陽極、発光層及び陰極を含んで構成される。
【００２５】
上記フラットパネルディスプレイ１０は、例えば、次のようにして製造される。先ず、基板１１上に陽極１２，１３の材料からなる陽極層を、スパッタリング法などを用いて形成する。
【００２６】
続いて、フォトリソフラフィ及びエッチングの手法を用いて陽極層を各第１の発光部３０〜３６の形状及び第２の発光部３７の形状にパターニングして、各第１の発光部３０〜３６の各陽極１２及び第２の発光部３７の陽極１３を形成する。ここで、各陽極１２及び陽極１３は、対応する発光部３０〜３７の大きさによりスクリーン印刷等のウエットプロセスによって、直接パターニングすることも可能である。
【００２７】
そして、各陽極１２と陽極１３との間に絶縁体１７を設けて陽極１２と陽極１３とを電気的に絶縁する。
【００２８】
次に、陽極１２，１３及び絶縁体１７上に発光層１４となるべき有機材料を、例えば、スピンコート法により塗布して発光層１４を形成する。更に、発光層１４上に陰極１５を、例えば、真空蒸着法、スクリーン印刷などにより形成する。その後、陽極１２，１３、発光層１４及び陰極１５から構成される層構造体を基板１１と封止板１６とにより封止してフラットパネルディスプレイ１０を得る。
【００２９】
上述した製造プロセスにおいては、基板１１上に形成する全ての層の材料を選定することによっては、基板１１上に形成する全ての層の形成を塗布法の様なウエットプロセスで形成できる。ウエットプロセスは、製造装置が比較的簡易であり、製造コストを大幅に削減することができる。
【００３０】
図１を参照すると、フラットパネルディスプレイ１０は駆動部２０により駆動される。駆動部２０は、電力供給部２１、スイッチング部２２及び制御論理回路２３を含んで構成されている。
【００３１】
電力供給部２１は、図２の陰極１５に電気的に接続されている。また、スイッチング部２２は、各第１の発光部３０〜３６の各陽極１２及び第２の発光部３７の陽極１３に接続されている。スイッチング部２２は、各陽極１２，１３に対する電流（又は電圧）の供給を切り替える機能を有する。電力供給部２１とスイッチング部２２とは制御論理回路２３に接続されている。
【００３２】
制御論理回路２３は、電力供給部２１とスイッチング部２２とを制御して各第１の発光部３０〜３６及び第２の発光部３７の点灯及び消灯を制御する。
【００３３】
表示システム１では、各陽極１２，１３への電流（又は電圧）の供給を、スイッチング部２２を用いて切り替えることによって、各第１の発光部３０〜３６及び第２の発光部３７を夫々点灯又は消灯させる。それによって、フラットパネルディスプレイ１０を用いて所望のパターンを表示する。なお、本実施形態において所望のパターンとは、０〜８のうちの何れかの数字である。
【００３４】
次に、本実施形態に係るフラットパネルディスプレイ１０の表示方法について説明する。
【００３５】
図３は、フラットパネルディスプレイ１０を用いた所望のパターンの表示の第１の態様を示す図である。なお、図３では、所望のパターンとして、例えば、数字の「３」を表示している。また、図３に示すフラットパネルディスプレイ１０において、点灯している部分にハッチングを付している。
【００３６】
第１の態様では、スイッチング部２２を制御して第１の発光部３０〜３６のうち数字の「３」に対応する第１の発光部３０〜３４の陽極１２にのみ電流を供給する。ここで、陰極１５には、電力供給部２１が電気的に接続されている。更に、陽極１２とその周りの陽極１３とは電気的に絶縁されている。
【００３７】
そのため、第１の発光部３０〜３４が点灯すると共に、数字の「３」に対応していない第１の発光部３５，３６及び第２の発光部３７は消灯する。したがって、フラットパネルディスプレイ１０を用いて「３」が明るく表示される。
【００３８】
図４は、フラットパネルディスプレイ１０を用いた図３と同じパターン（数字の「３」）の表示の第２の態様を示す図である。図４において、図３と同様に点灯している部分にハッチングを付している。
【００３９】
第２の態様では、電流を供給する陽極１２，１３を、スイッチング部２２を用いて切り替えて、第１の態様から明暗を反転させて所望のパターンを表示させる。
【００４０】
すなわち、制御論理回路２３を用いてスイッチング部２２を制御して、第１の発光部３０〜３４の陽極１２への電流の供給を止める一方、第１の発光部３５，３６の陽極１２及び第２の発光部３７の陽極１３に電流を供給する。これにより、第１の態様で点灯していた第１の発光部３０〜３４が消灯すると共に、第１の態様で消灯していた第１の発光部３５，３６及び第２の発光部３７が点灯する。そのため、フラットパネルディスプレイ１０を用いて「３」が暗く表示される。
【００４１】
そして、第１の態様と第２の態様とを繰り返すことによって所望のパターンを、フラットパネルディスプレイ１０を用いて所望の時間表示する。なお、第１の態様の周期と第２の態様の周期とが等しい、言い換えれば、第１の態様で所望のパターンを表示している時間と第２の態様で所望のパターンを表示している時間とが等しいことが好ましい。
【００４２】
上記第１の態様と第２の態様とを繰り返すことによって所望のパターンを表示するので、所望のパターンを表示させる時間中、そのパターンに対応する第１の発光部を連続して点灯させつづける従来の表示方法に比べると、各第１の発光部３０〜３６において、点灯時間と消灯時間との差が小さくなる。このように点灯時間と消灯時間との差が小さいと、第１の発光部３０〜３６の間における輝度の低下の度合いの差が小さくなる。これにより、所望のパターンを変えた場合であっても、フラットパネルディスプレイ１０に輝度ムラが生じることが抑制される。なお、第１の態様の周期と第２の態様の周期とが等しい場合には輝度の低下の度合いの差がより一層低減されるので好ましい。また、点灯時間または消灯時間はそれぞれ表示認識の観点から０．５秒以上が望ましく、１秒以上がより望ましい。
【００４３】
したがって、例えば、値札のようにフラットパネルディスプレイを用いて一定時間同じパターンを表示させると共に、値段の変更などにより所望のパターンを変化させる場合がある場合に有効である。
【００４４】
また、第１の発光部３０〜３６と第２の発光部３７とにおいて、陽極１２，１３以外の発光層１４及び陰極１５は共通である。言い換えれば、フラットパネルディスプレイ１０の製造においては、陽極１２，１３の形状を各第１の発光部３０〜３６の形状に対応させることによって第１の発光部３０〜３６及び第２の発光部３７を形成することができる。各第１の発光部３０〜３６及び第２の発光部３７を個別に形成した後に組み合わせる場合に比べて製造効率を向上させることが可能である。
【００４５】
次に、実施例を参照してより具体的に説明する。
【００４６】
（実施例）
実施例に用いたフラットパネルディスプレイ１０は次のようにして作製した、先ず、基板１１としてガラス基板（商品名７０５９：コーニング社製）を用意した。そして基板１１を、中性洗剤を用いてスクラブ洗浄した。スクラブ洗浄された基板１１上にＩＴＯ酸化物ターゲットを用いＲＦマグネトロンスパッタリング法により、基板温度２５０℃で、膜厚２００ｎｍのＩＴＯホール注入電極層（陽極層）を形成した。
【００４７】
その後、フォトリソグラフィとエッチングの手法を用いて、ＩＴＯホール注入電極層を各第１の発光部３０〜３６の形状及び第２の発光部３７の形状に対応させてパターンニングを行い、各陽極１２及び陽極１３を形成した。なお、陽極１２と陽極１３との間には、ポリイミド樹脂層を形成して、絶縁体１７の確保とエッジカバーとした。
【００４８】
陽極１２，１３が形成された基板１１の表面をＵＶ／Ｏ3洗浄した後、市販のバイトロンをメタノールで２倍に希釈した溶液を、陽極１２，１３上にスピンコート法により塗布した。そして、１８０度の温度で５分乾燥を行った後、その上に１３ｇのトルエンにつき１ｇのポリマー濃度のポリフルオレン溶液をスピンコート法により塗布を行った。
【００４９】
次に、得られたポリマー付き基板１１を、８０度の温度で１時間加熱して乾燥させて発光層１４とした。なお、得られたポリエチレンジオキシチオフェン／ポリスチレンスルホン酸（商品名：バイトロン：（株）バイエル社製）の膜厚が５０ｎｍ、ポリマー膜が８０ｎｍの厚さとなるように形成した。
【００５０】
次に、発光層１４上に電子注入電極層としてＬｉＦを真空蒸着法で５ｎｍ付けた後、補助電極としてアルミ電極を同じく真空蒸着法で２００ｎｍ付けて陰極１５とした。最後にガラス板（封止板）で封止してフラットパネルディスプレイ１０を得た。
【００５１】
得られたフラットパネルディスプレイ１０に対し、電力供給部２１及びスイッチング部２２を接続して表示システム１を作製した。電力供給部２１は、陰極１５に対して１系統接続した。また、スイッチング部２２は、各第１の発光部３０〜３６の陽極１２及び第２の発光部３７の陽極１３に対して各１系統接続した。電力供給部２１とスイッチング部２２とは、制御論理回路２３に接続して駆動部２０として統括した。駆動部２０を含む表示システム１を、制御論理回路２３を用いて制御した。
【００５２】
制御論理回路２３により、１０ｍＡ／ｃｍ2の定電流駆動をおこなったところ、各第１の発光部３０〜３６及び第２の発光部３７において、ポリフルオレンに起因する発光が得られた。
【００５３】
得られた各第１の発光部３０〜３６及び第２の発光部３７に空気中で、電界を供給したところ、ダイオード特性を示し、ＩＴＯ側を陽極、アルミ電極側を陰極１５にバイアスした場合、電流は、電圧の増加とともに増加し、通常の室内ではっきりとした発光が観察された。
【００５４】
上述した方法により製造した表示システム１におけるフラットパネルディスプレイ１０の表示試験を行った。
【００５５】
表示した数字は「３」であり、第１の態様と第２の態様との切り替え時間は３０秒であった。初期輝度は３００ｃｄ／ｍ２とした。そして、フラットパネルディスプレイ１０で数字の「３」を２００時間表示した後に、数字の「８」を点灯させて各第１の発光部３０〜３６の輝度のばらつきを測定した。
【００５６】
その結果、各第１の発光部３０〜３６の間における輝度のばらつきは３％以内であり肉眼ではばらついていなかった。すなわち、肉眼で認識できる程度の輝度ムラが生じていなかった。
【００５７】
（比較例）
比較のために従来の方法で表示させた場合の試験結果について説明する。比較のために用いたフラットパネルディスプレイは、上記フラットパネルディスプレイ１０において第２の発光部３７が発光機能を有しない点で異なる以外は同じ構成である。本比較例のフラットパネルディスプレイにおける第１の発光部３０〜３６に対して、空気中で電界を供給したところ、ダイオード特性を示し、ＩＴＯ側を陽極１２、アルミ電極側を陰極１５にバイアスした場合、電流は、電圧の増加とともに増加し、通常の室内ではっきりとした発光が観察された。
【００５８】
次に、このフラットパネルディスプレイで、第１の発光部３０〜３６のうち数字の「３」に対応する第１の発光部３０〜３４を実施例と同様に初期輝度３００ｃｄ／ｍ２で点灯させて数字の「３」を表示させた。２００時間連続して点灯させた後、数字の「８」を表示させて各第１の発光部３０〜３６の間の輝度のばらつきを測定した。
【００５９】
その結果、２００時間連続点灯させた第１の発光部３０〜３４は、第１の発光部３５，３６に比べて明らかに暗くなっていた。そして、輝度のばらつきは、３０％以上に達した。
【００６０】
このように、本実施形態に係るフラットパネルディスプレイの表示方法によれば、フラットパネルディスプレイ１０で所望のパターンを表示する際において、輝度ムラを抑制することができる。
【００６１】
（第２の実施形態）
図５は、第２の実施形態における表示システム２の構成を示す模式図である。表示システム２は、フラットパネルディスプレイ５０と駆動部２０とを有する。
【００６２】
また、図６は、フラットパネルディスプレイ５０の構成を示す模式図である。フラットパネルディスプレイ５０は、プラズマディスプレイパネルである。フラットパネルディスプレイ５０は、第１の実施形態と同様に７つの第１の発光部６０〜６６とその周りを囲むように設けられた第２の発光部６７とを有する。
【００６３】
図５を参照して、第１の発光部６０の構成について説明する。図５では、第１の発光部６０のみを示しており、第１の発光部６１〜６６の図は省略している。第１の発光部６１〜６６及び第２の発光部６７の構成は第１の発光部６０と同じである。
【００６４】
第１の発光部６０は、基板（例えば、ガラス基板）５１と基板（例えば、ガラス基板）５２との間に誘電体などから構成されるリブ５３ａ，５３ｂが設けられ、基板５１，５２間の空間が仕切られて構成されている。そして、リブ５３ａ，５３ｂ間の基板５１上に陰極５４が設けられており、基板５２上に陽極５５が設けられている。陰極５４は、例えば、Ｎｉから構成されている。陽極５５は、透明電極であって、例えば、ＩＴＯから構成されている。
【００６５】
また、基板５２における陽極５５側の面上及び陽極５５上には、蛍光体層５６が設けられている。蛍光体層５６は、Ｙ２Ｏ３：Ｅｕから構成される。
【００６６】
上記構成では、陽極５５及び陰極５４に交流電圧を印加してリブ５３ａ，５３ｂ及び基板５１，５２で仕切られた空間内に放電を生じさせる。そして、その放電により蛍光体層５６内の蛍光体を励起して発光させる。フラットパネルディスプレイ５０において、第１の発光部６０及び第２の発光部６７とはリブ５３ａ，５３ｂにより仕切られている。
【００６７】
そのため、駆動部２０の電力供給部２１は、図５に示すように第１の発光部６０の陰極５４及び第２の発光部６７の陰極５４に電気的に接続されている。スイッチング部２２は、上記第１の実施形態の場合と同様に第１の発光部６０及び第２の発光部６７の陽極５５に夫々接続されている。なお、電力供給部２１との接続関係は、第１の発光部６１〜６６に関しても同様である。
【００６８】
上記構成より、フラットパネルディスプレイ５０の場合も、第１の発光部６０〜６６及び第２の発光部６７は夫々点灯及び消灯することが可能である。そして、フラットパネルディスプレイ５０を用いた表示方法は第１の実施形態の場合と同様である。
【００６９】
すなわち、スイッチング部２２により各陽極５５への電流（又は電圧）の供給を切り替えることによって、第１の態様及び第２の態様によって所望のパターンを表示する。そして、第１及び第２の態様を繰り返すことで所望の時間、そのパターンを表示する。
【００７０】
なお、図５では、陰極５４もリブ５３ａ，５３ｂにより仕切られているが、陰極５４は共通としても良い。この場合、電力供給部２１及びスイッチング部２２と、陽極５５及び陰極５４との接続関係は、第１の実施形態の場合と同様である。
【００７１】
（第３の実施形態）
図７は、第３の実施形態における表示システム３の構成を示す模式図である。表示システム３は、フラットパネルディスプレイ７０と駆動部２０とを含んで構成されている。フラットパネルディスプレイ７０は、無機ＥＬ素子を用いた無機ＥＬディスプレイである。フラットパネルディスプレイ７０は、第１の実施形態と同様に７つの第１の発光部８０〜８６と、各第１の発光部８０〜８６を取り囲むように設けられた第２の発光部８７を有する。
【００７２】
図８は、フラットパネルディスプレイ７０の断面構成を示す模式図である。なお、図中には、第１の発光部８０のみを示しており、第１の発光部８１〜８６の図は省略している。第１の発光部８１〜８６は、第１の発光部８０と同様の構成を有している。
【００７３】
図８を参照すると、基板７１上にＡｕからなる第１電極層７２，７３が設けられている。第１電極層７２の形状は第１の発光部８０の形状に対応する。また、第１電極層７３の形状は第２の発光部８７の形状に対応する。そして、第１電極層７２，７３を覆うように、例えば、ニオブ酸鉛から構成される厚膜誘電体層７４が設けられている。その厚膜誘電体層７４上には、平坦化層７５、発光層７６、絶縁体層７７及び第２電極層７８が順に積層されている。
【００７４】
平坦化層７５の材料は、例えば、チタン酸バリウムである。また、発光層７６の材料は、ＺｎＳ：Ｍｎが例示される。また、絶縁体層７７の材料は、例えば、ＳｉＯ２である。第２電極層７８の材料は、ＩＴＯが例示される。
【００７５】
上記フラットパネルディスプレイ７０において、第１の発光部８０は、基板７１上に積層された第１電極層７２、厚膜誘電体層７４、平坦化層７５、絶縁体層７７及び第２電極層７８を含んで構成される。また、第２の発光部８７は、基板７１上に積層された第１電極層７３、厚膜誘電体層７４、平坦化層７５、絶縁体層７７及び第２電極層７８を含んで構成される。本実施形態のフラットパネルディスプレイ７０では、発光層７６で発せられた光は第２電極層７８側から取り出される。
【００７６】
駆動部２０のスイッチング部２２は、各第１の発光部８０〜８６の第１電極層７２及び第２の発光部８７の第１電極層７３に接続されており、電力供給部２１は、第２電極層７８に接続されている。
【００７７】
無機ＥＬディスプレイであるフラットパネルディスプレイ７０の場合も、第１の発光部８０〜８６及び第２の発光部８７は夫々点灯又は消灯することが可能であり、表示方法は第１及び第２の実施形態の場合と同様である。
【００７８】
本発明は、上記第１〜第３の実施形態に限らず種々変形が可能である。例えば、上記第１〜第３の実施形態では、フラットパネルディスプレイは、７つの第１の発光部を含んで構成されておりフラットパネルディスプレイを用いて数字が表示されるが、数字に限らずアルファベットなどの文字が表示されても良い。そして、第１の発光部の数及び配置パターンは、表示すべきパターン（文字、数字等）に応じたものとすれば良い。
【００７９】
また、本発明は、上述した有機ＥＬ素子１に限定されず、自己発光表示素子、例えば無機ＥＬ素子、ＰＤＰ（Plasma Display Panel）、ＬＥＤ素子、ＦＥＤ（Field Emission Display）等に適用することができる。
【図面の簡単な説明】
【００８０】
【図１】第１の実施形態における表示システムの構成を示す模式図である。
【図２】図１のII-II線に沿った断面構成を示す模式図である。
【図３】フラットパネルディスプレイを用いた所望のパターンの表示の第１の態様を示す図である。
【図４】フラットパネルディスプレイを用いた所望のパターンの表示の第２の態様を示す図である。
【図５】第２の実施形態における表示システムの構成を示す模式図である。
【図６】図５のフラットパネルディスプレイの構成を示す模式図である。
【図７】第３の実施形態における表示システムの構成を示す模式図である。
【図８】図７のフラットパネルディスプレイの断面構成を示す模式図である。
【符号の説明】
【００８１】
１，２，３…表示システム、１０…フラットパネルディスプレイ、１１…基板、１２，１３…陽極、１４…発光層、１５…陰極、１６…封止板、１７…絶縁体、２０…駆動部、２１…電力供給部、２２…スイッチング部、２３…制御論理回路、３０〜３６…第１の発光部、３７…第２の発光部、５０…フラットパネルディスプレイ、５１，５２…基板、５３ａ，５３ｂ…リブ、５４…陰極、５５…陽極、５６…蛍光体層、６０〜６６…第１の発光部、６７…発光部、７０…フラットパネルディスプレイ、７１…基板、７２，７３…第１電極層、７４…厚膜誘電体層、７５…平坦化層、７６…発光層、７７…絶縁体層、７８…第２電極層、８０〜８６…第１の発光部、８７…発光部。
【図１】
2005107023.tif 000003
【図２】
2005107023.tif 000004
【図３】
2005107023.tif 000005
【図４】
2005107023.tif 000006
【図５】
2005107023.tif 000007
【図６】
2005107023.tif 000008
【図７】
2005107023.tif 000009
【図８】
2005107023.tif 000010